(57)【要約】【課題】  両手を使用する球技において、強すぎる利き腕の力を殺ぐ運動道具を提供する。【解決手段】  利き腕の方の親指や人差し指の第二関節がたなごころの方に折れ曲がらないように、可撓性の小さな素材を用いたり、第二関節部分に関節が折れ曲がらないような補強材を設けた運動用具を装着して、ゴルフクラブやバットなどをグリップする。親指や人差し指でクラブやバットをグリップできないため、利き腕の力が殺がれ、レッスン書や指導者が求める、右利きの場合の左手リード（利き腕が左の場合は右手リード）のスイングが無意識のうちにできるようになり、好結果が得られる。【選択図】    図１１
2015112440.tif 000002
【特許請求の範囲】
【請求項１】
縦方向の長さを最大略人の指の長さとし、横方向は所定の幅からなる長方形もしくは縦長の楕円形等の適宜な形状に形成された適宜な素材からなる当て具材において、前記当て具材の横方向の両端もしくは適宜な位置に面ファスナーもしくはボタン等の固定具材を設け、前記固定具材を介して前記当て具材を人差し指と親指へもしくはどちらか一方の指へ着脱自在となるように装着することにより、人差し指においては第二関節と第三関節がもしくは第二関節のみが、また親指においては第二関節が、手の掌の方に折れ曲がらないもしくは折れ曲がりにくくなることにより、指の動きが規制されることを特徴とする、運動用具。
【請求項２】
縦方向の長さを最大略人の指の長さで横方向は所定の幅からなる長方形もしくは縦長の楕円形等の適宜な形状に形成され、横方向の両端もしくは適宜な位置に面ファスナーもしくはボタン等の固定具材を設けた適宜な素材からなる基材上に、前記当て具材を前記基材の全面もしくは一部分に固着させてもしくは着脱自在となるように設け、前記当て具材を有する前記基材を、前記固定具材を介して人差し指と親指へもしくはどちらか一方の指へ着脱自在となるように装着することにより、請求項1に記載したと同様に指の動きが規制されることを特徴とする、運動用具。
【請求項３】
縦方向の長さを最大略人の指の長さとし、横方向は所定の幅からなる長方形もしくは縦長の楕円形等の適宜な形状に形成された適宜な素材からなる前記当て具材を、指サック状にもしくは両端に開口部を有する筒状の指サック状に形成して、前記指サックへの指の挿入が着脱自在となるとともに、指を前記指サックに挿入することにより、請求項1に記載したと同様に指の動きが規制されることを特徴とする、運動用具。    
【請求項４】
縦方向の長さを最大略人の指の長さとし、横方向は所定の幅からなる長方形もしくは縦長の楕円形等の適宜な形状に形成された適宜な素材からなる前記基材を、指サック状にもしくは両端に開口部を有する筒状の指サック状に形成し、前記当て具材を前記基材の全面もしくは一部分に固着させもしくは着脱自在となるように設け、前記指サックへの指の挿入が着脱自在となるとともに、指を前記指サックに挿入することにより、請求項1に記載したと同様に指の動きが規制されることを特徴とする、運動用具。    
【請求項５】
親指の先端もしく略先端から前記親指と人差し指の股を経由して、前記人差し指の先端もしくは略先端までを両指の手掌側で測った長さを長手方向の長さとし、指を略一周する程度の幅もしくは適宜な幅を短手方向の幅として長方形もしくは略長方形もしくは任意の形状に形成して当接部とし、前記当接部を前記当て具材により形成し、前記当て具材を両端部と長手方向に開口部を有する略Ｃ字型のチューブ状に形成し、前記両端部の開口部と前記長手方向の開口部を介して指の挿入が着脱自在となるとともに、挿入した指の動きが請求項1に記載したと同様に規制されることを特徴とする、運動用具。
【請求項６】
請求項５に記載の前記当接部を適宜な素材の基材で形成し、前記基材の全面もしくは一部分に前記当て具を固着もしくは着脱自在に装着し、前記基材を両端部と長手方向に開口部を有する略Ｃ字型のチューブ状に形成し、前記両端部の開口部と前記長手方向の開口部を介して指の挿入が着脱自在となるとともに、挿入した指の動きが請求項1に記載したと同様に規制されることを特徴とする、運動用具。
【請求項７】
請求項５に記載の前記当接部を前記当て具材により形成し、前記当て具材の両端部と長手方向に開口部を有する略Ｃ字型のチューブ状に形成し、長手方向の両端もしくは適宜の位置に、長手方向に対して直角もしくは適宜な角度で、さらに適宜な位置に面ファスナー等からなる固定具材が設けられたベルト部を設け、前記両端部の開口部と前記長手方向の開口部を介して挿入した指が着脱自在となるとともに、挿入した指に前記当て具材を前記ベルト部で巻きつけるようにして装着し、前記ベルト部の前記固定具材を介して指を前記当て具材に固定することにより、挿入した指の動きが請求項1に記載したと同様に規制されることを特徴とする、運動用具。    
【請求項８】
請求項５に記載の前記当接部を適宜な素材からなる基材により形成し、前記当接部の全面もしくは一部分に前記当て具材を固着もしくは着脱自在に装着し、前記当接部を両端部と長手方向に開口部を有する略Ｃ字型のチューブ状に形成し、長手方向の両端もしくは適宜の位置に、長手方向に対して直角もしくは適宜な角度で、さらに適宜な位置に面ファスナー等からなる固定具材が設けられたベルト部を前記基材もしくは適宜な素材で設け、前記両端部の開口部と前記長手方向の開口部を介して挿入した人差し指と親指が着脱自在となるとともに、前記ベルト部の前記固定具材を介して指を前記基材に固定することにより、挿入した指の動きが前記当て具材により請求項1に記載したと同様に規制されることを特徴とする、運動用具。              
【請求項９】
請求項５に記載の前記当接部と前記当接部の両端もしくは適宜な位置に長手方向に直角もしくは適宜な角度と長さ、および両端には固定具材を有するベルト部とにより、「工」もしくは略「工」の字型または「士」もしくは略「士」の字型に前記当て具材により一体形成し、前記当て具材を長手方向に開口部を有する概Ｃ字型のチューブ状に形成し、前記両端部の開口部と前記長手方向の開口部を介して挿入した人差し指と親指が着脱自在となるとともに、挿入した指に前記当て具材を前記ベルト部で巻きつけるようにして装着し、前記ベルト部の前記固定具材を介して指を前記当て具材に固定することにより、挿入した指の動きが前記当て具材により請求項1に記載したと同様に規制されることを特徴とする、運動用具。              
【請求項１０】
請求項５に記載の前記当接部と、前記当接部の両端もしくは適宜な位置に長手方向に直角もしくは適宜な角度と長さ、および両端には固定具材を有するベルト部とを、「工」もしくは略「工」の字の型または「士」もしくは略「士」の字型に適宜な素材の基材を一体形成し、さらに前記当接部の全面もしくは一部分に前記当て具材を固着もしくは着脱自在に装着し、前記基材を長手方向に開口部を有する概Ｃ字型のチューブ状に形成し、前記両端部の開口部と前記長手方向の開口部を介して挿入した人差し指と親指が着脱自在となるとともに、挿入した指に前記基材を前記ベルト部で巻きつけるようにして装着し、前記ベルト部の前記固定具材を介して指を前記基材に設けられた当て具材に固定することにより、挿入した指の動きが前記当て具材により請求項1に記載したと同様に規制されることを特徴とする、運動用具。  
【請求項１１】
請求項５に記載の前記当接部と、前記当接部の両端もしくは適宜な位置に長手方向に直角もしくは適宜な角度と長さ、および両端には固定具材を有するベルト部とを、「工」もしくは略「工」の字の型または「士」もしくは略「士」の字型に前記当て具材により一体形成し、前記ベルト部の前記固定具材を介して前記ベルト部を人差し指と親指にそれぞれ着脱自在に装着することにより、指の動きが前記当て具材により請求項1に記載したと同様に規制されることを特徴とする、運動用具。  
【請求項１２】
請求項５に記載の前記当接部と、前記当接部の両端もしくは適宜な位置に長手方向に直角もしくは適宜な角度と長さ、および両端には固定具材を有するベルト部とを、「工」もしくは略「工」の字の型または「士」もしくは略「士」の字型に適宜な素材の基材で一体形成し、さらに前記当接部の全面もしくは一部分に前記当て具材を固着もしくは着脱自在に装着し、前記ベルト部の前記固定具材を介して前記ベルト部を人差し指と親指にそれぞれ着脱自在に装着することにより、指の動きが前記当て具材により請求項1に記載したと同様に規制されることを特徴とする、運動用具。  
【請求項１３】
請求項５に記載の前記当接部と、前記当接部の両端もしくは適宜な位置に長手方向に直角もしくは適宜な角度と長さ、および両端には固定具材を有するベルト部とを、「士」もしくは略「士」の字の型または「工」もしくは略「工」の字型に一体形成した二枚の前記基材において、一方の前記基材の前記当接部の全面もしくは一部分に前記当て具材を固着させ、同一形状の基材を各部分が対向するように接着もしくは縫着等により固着させ、一枚の「工」もしくは略「工」の字の型または「士」もしくは略「士」の字型の前記基材となし、前記ベルト部を介して人差し指と親指に前記基材をそれぞれ巻きつけることにより、巻きつけられた指の動きが請求項1に記載したと同様に規制されることを特徴とする、運動用具。  
【請求項１４】
左若しくは右手用の手袋の人差し指と親指の部分に適宜な長さで前記当て具材を固着させ、もしくは着脱自在となるように設けて、前記手袋に挿入した指の動きが請求項1に記載したと同様に規制されることを特徴とする、運動用具。
【請求項１５】
前記請求項１から１４における、前記当て具材に代えて適宜な凝固剤等の薬剤を塗布もしくは浸潤させて前記当て具材と同様の効果を得るようにし、装着されたそれぞれの指の動きが請求項1に記載したと同様に規制されることを特徴とする、運動用具。    
【発明の詳細な説明】
【技術分野】
【０００１】
本発明は、ゴルフや野球などの球技をプレーするに際し、手や指の動きを規制する、運動用具に関するものである。
【背景技術】
【０００２】
以下本論においては利き腕が右手の場合を例にとって論を進めるが、利き腕が右手に限定するものではない。またゴルフを例にとって論を進めるが、本発明はゴルフプレーに限定されるものではない
さて、野球やゴルフなどのスイングにおいては右肩の力（以後単に「力を抜く」という）を抜き、左手リードのスイングが要求される。左手リードのスイングが良い結果を生む場合が多いからである。
しかし、従来の指導や指導書では力を抜いて左手リードのスイングが推奨されるが、相当の練習・鍛錬を日ごろから積んでおく必要があり、ほとんど練習や鍛錬をしないいわば素人が左手リードのスイングを続けることは難しい。
このように特段の練習や鍛錬なくして左手リードのスイングを続ける方法はないのが現状であった。
【先行技術文献】
【特許文献】
【０００３】
【特許文献１】本件に関する特段の先行技術文献はみあたらない。
【発明の概要】
【発明が解決しようとする課題】
【０００４】
左手リードの理想的なスイングを行うためには、利き腕である右手や右腕の力を殺ぐ必要がある。
利き腕の力が強くなるのは、クラブやバットをグリップする際に右手の親指２と人差し指３でクラブやバットを強くグリップするためである。
解決しようとする問題点は、特段の練習や鍛錬を積まずとも利き腕である右腕や右手の力を殺ぎ、左手リードのスイングが容易にできるような運動用具を提供する点にある。
なお、以下においては右手（右腕）が利き手・利き腕の場合を例にして述べる。
【課題を解決するための手段】
【０００５】
しかしながら、右手の力を殺ぐために左手だけでグリップしてスイングすることはできないので、右手でもクラブをグリップする必要がある。
しかし右手でグリップした時に親指２と人差し指３をクラブにかけない（のせない）か、かけても両指に力が入らないようにすればよい。図１の（Ａ）は手のひら１を広げた状態を示したおり、各指の関節を指の下から第一関節４、第二関節５、第三関節６（ただし親指２は第二関節５まで）とよんだ場合、図１の（Ｂ）のように親指２や人差し指３が曲がらないようにしておけばよい。特に第二関節５が曲がらないようにしておけば、グリップしても力が入りにくくなる。
本発明は当て具材７を用いて、もしくは前記当て具材７を基材１１上に接着もしくは縫着等の方法で設けたり、着脱自在になるようにして設けて、親指２や人差し指３の特に第二関節が折れ曲がらない運動用具を提供するものである。
本発明の素材は主として、当て具材７と基材１１と固定具材とからなっている。これらの素材は特定するものではないが、上下左右からの力に対して適度の弾力性を有する、例えばゴムや塩ビ材等のプラスチック類、皮革、布などが考えられる。また形状をも特定はしない。
なお、以下に述べる作用と効果はゴルフに限らず、野球のバットのスイングなどスイングを伴う球技において有効である。
【０００６】
本発明の第１の構造、作用や効果について述べる。
縦方向の長さを最大略人の指の長さとし、横方向は所定の幅からなる長方形もしくは縦長の楕円形等の適宜な形状に形成された適宜な素材からなる当て具材において、前記当て具材の横方向の両端もしくは適宜な位置に面ファスナーもしくはボタン等の固定具材を設け、前記固定具材を介して前記当て具材を人差し指と親指へもしくはどちらか一方の指へ着脱自在となるように装着することにより、人差し指においては第二関節と第三関節がもしくは第二関節のみが、また親指においては第二関節が、手の掌の方に折れ曲がらないもしくは折れ曲がりにくくなることにより、指の動きが規制されることを特徴とする、運動用具１００である。
【０００７】
本発明の第２の構造、作用や効果について述べる。
縦方向の長さを最大略人の指の長さで横方向は所定の幅からなる長方形もしくは縦長の楕円形等の適宜な形状に形成され、横方向の両端もしくは適宜な位置に面ファスナーもしくはボタン等の固定具材を設けた適宜な素材からなる基材上に、前記当て具材を前記基材の全面もしくは一部分に固着させてもしくは着脱自在となるように設け、前記当て具材を有する前記基材を、前記固定具材を介して人差し指と親指へもしくはどちらか一方の指へ着脱自在となるように装着することにより、上記（０００６）に記載したと同様に指の動きが規制されることを特徴とする、運動用具２００である。
【０００８】
本発明の第３の構造、作用や効果について述べる。
縦方向の長さを最大略人の指の長さとし、横方向は所定の幅からなる長方形もしくは縦長の楕円形等の適宜な形状に形成された適宜な素材からなる前記当て具材を、指サック状にもしくは両端に開口部を有する筒状の指サック状に形成して、前記指サックへの指の挿入が着脱自在となるとともに、指を前記指サックに挿入することにより、上記（０００６）に記載したと同様に指の動きが規制されることを特徴とする、運動用具３００である。    
【０００９】
本発明の第４の構造、作用や効果について述べる。
縦方向の長さを最大略人の指の長さとし、横方向は所定の幅からなる長方形もしくは縦長の楕円形等の適宜な形状に形成された適宜な素材からなる前記基材を、指サック状にもしくは両端に開口部を有する筒状の指サック状に形成し、前記当て具材を前記基材の全面もしくは一部分に固着させもしくは着脱自在となるように設け、前記指サックへの指の挿入が着脱自在となるとともに、指を前記指サックに挿入することにより、上記（０００６）に記載したと同様に指の動きが規制されることを特徴とする、運動用具４００である。
【００１０】
本発明の第５の構造、作用や効果について述べる。
親指の先端もしく略先端から前記親指と人差し指の股を経由して、前記人差し指の先端もしくは略先端までを両指の手掌側で測った長さを長手方向の長さとし、指を略一周する程度の幅もしくは適宜な幅を短手方向の幅として長方形もしくは略長方形もしくは任意の形状に形成して当接部とし、前記当接部を前記当て具材により形成し、前記当て具材を両端部と長手方向に開口部を有する略Ｃ字型のチューブ状に形成し、前記両端部の開口部と前記長手方向の開口部を介して指の挿入が着脱自在となるとともに、挿入した指の動きが上記（０００６）に記載したと同様に規制されることを特徴とする、運動用具５００である。
【００１１】
本発明の第６の構造、作用や効果について述べる。
上記（００１０）に記載の前記当接部を適宜な素材の基材で形成し、前記基材の全面もしくは一部分に前記当て具を固着もしくは着脱自在に装着し、前記基材を両端部と長手方向に開口部を有する略Ｃ字型のチューブ状に形成し、前記両端部の開口部と前記長手方向の開口部を介して指の挿入が着脱自在となるとともに、挿入した指の動きが上記（０００６）に記載したと同様に規制されることを特徴とする、運動用具５００Ａである。
【００１２】
本発明の第７の構造、作用や効果について述べる。
上記（００１０）に記載の前記当接部を前記当て具材により形成し、前記当て具材の両端部と長手方向に開口部を有する略Ｃ字型のチューブ状に形成し、長手方向の両端もしくは適宜の位置に、長手方向に対して直角もしくは適宜な角度で、さらに適宜な位置に面ファスナー等からなる固定具材が設けられたベルト部を設け、前記両端部の開口部と前記長手方向の開口部を介して挿入した指が着脱自在となるとともに、挿入した指に前記当て具材を前記ベルト部で巻きつけるようにして装着し、前記ベルト部の前記固定具材を介して指を前記当て具材に固定することにより、挿入した指の動きが上記（０００６）に記載したと同様に規制されることを特徴とする、運動用具６００である。
【００１３】
本発明の第８の構造、作用や効果について述べる。
上記（００１０）に記載の前記当接部を前記基材により形成し、前記基材の全面もしくは一部分に前記当て具を固着もしくは着脱自在に装着し、前記基材の両端部と長手方向に開口部を有する略Ｃ字型のチューブ状に形成し、長手方向の両端もしくは適宜の位置に、長手方向に対して直角もしくは適宜な角度で、さらに適宜な位置に面ファスナー等からなる固定具材が設けられたベルト部を設け、前記両端部の開口部と前記長手方向の開口部を介して挿入した指が着脱自在となるとともに、挿入した指に前記当て具材を前記ベルト部で巻きつけるようにして装着し、前記ベルト部の前記固定具材を介して指を前記当て具材に固定することにより、挿入した指の動きが上記（０００６）に記載したと同様に規制されることを特徴とする、運動用具６００Ａである。  
【００１４】
本発明の第９の構造、作用や効果について述べる。
上記（００１０）に記載の前記当接部と前記当接部の両端もしくは適宜な位置に長手方向に直角もしくは適宜な角度と長さ、および両端には固定具材を有するベルト部とにより、「工」もしくは略「工」の字型または「士」もしくは略「士」の字型に前記当て具材により一体形成し、前記当て具材を長手方向に開口部を有する概Ｃ字型のチューブ状に形成し、前記両端部の開口部と前記長手方向の開口部を介して挿入した人差し指と親指が着脱自在となるとともに、挿入した指に前記当て具材を前記ベルト部で巻きつけるようにして装着し、前記ベルト部の前記固定具材を介して指を前記当て具材に固定することにより、挿入した指の動きが前記当て具材により上記（０００６）に記載したと同様に規制されることを特徴とする、運動用具６００Ｂである。              
【００１５】
本発明の第１０の構造、作用や効果について述べる。
上記（００１０）に記載の前記当接部と、前記当接部の両端もしくは適宜な位置に長手方向に直角もしくは適宜な角度と長さ、および両端には固定具材を有するベルト部とを、「工」もしくは略「工」の字の型または「士」もしくは略「士」の字型に適宜な素材の基材を一体形成し、さらに前記当接部の全面もしくは一部分に前記当て具材を固着もしくは着脱自在に装着し、前記基材を長手方向に開口部を有する概Ｃ字型のチューブ状に形成し、前記両端部の開口部と前記長手方向の開口部を介して挿入した人差し指と親指が着脱自在となるとともに、挿入した指に前記基材を前記ベルト部で巻きつけるようにして装着し、前記ベルト部の前記固定具材を介して指を前記基材に設けられた当て具材に固定することにより、挿入した指の動きが前記当て具材により上記（０００６）に記載したと同様に規制されることを特徴とする、運動用具６００Ｃである。  
【００１６】
本発明の第１１の構造、作用や効果について述べる。
上記（００１０）に記載の前記当接部と、前記当接部の両端もしくは適宜な位置に長手方向に直角もしくは適宜な角度と長さ、および両端には固定具材を有するベルト部とを、「工」もしくは略「工」の字型または「士」もしくは略「士」の字型に前記当て具材により一体形成し、前記ベルト部の前記固定具材を介して前記ベルト部を人差し指と親指にそれぞれ着脱自在に装着することにより、指の動きが前記当て具材により上記（０００６）に記載したと同様に規制されることを特徴とする、運動用具７００である。  
【００１７】
本発明の第１２の構造、作用や効果について述べる。
上記（００１０）に記載の前記当接部と、前記当接部の両端もしくは適宜な位置に長手方向に直角もしくは適宜な角度と長さ、および両端には固定具材を有するベルト部とを、「工」もしくは略「工」の字型または「士」もしくは略「士」の字型に適宜な素材の基材で一体形成し、さらに前記当接部の全面もしくは一部分に前記当て具材を固着もしくは着脱自在に装着し、前記ベルト部の前記固定具材を介して前記ベルト部を人差し指と親指にそれぞれ着脱自在に装着することにより、指の動きが前記当て具材により上記（０００６）に記載したと同様に規制されることを特徴とする、運動用具７００Ａである。
【００１８】
本発明の第１３の構造、作用や効果について述べる。
上記（００１０）に記載の前記当接部と、前記当接部の両端もしくは適宜な位置に長手方向に直角もしくは適宜な角度と長さ、および両端には固定具材を有するベルト部とを、「士」もしくは略「士」の字の型または「工」もしくは略「工」の字型に一体形成した二枚の前記基材において、一方の前記基材の前記当接部の全面もしくは一部分に前記当て具材を固着させ、同一形状の基材を各部分が対向するように接着もしくは縫着等により固着させ、一枚の「工」もしくは略「工」の字の型または「士」もしくは略「士」の字型の前記基材となし、前記ベルト部を介して人差し指と親指に前記基材をそれぞれ巻きつけることにより、巻きつけられた指の動きが上記（０００６）に記載したと同様に規制されることを特徴とする、運動用具８００である。  
【００１９】
本発明の第１４の構造、作用や効果について述べる。
左若しくは右手用の手袋の人差し指と親指の部分に適宜な長さで前記当て具材を固着させ、もしくは着脱自在となるように設けて、前記手袋に挿入した指の動きが上記（０００６）に記載したと同様に規制されることを特徴とする、運動用具９００。
【００２０】
本発明の第１４の構造、作用や効果について述べる。
上記（０００６）から（００１９）において、前記当接部を前記当て具材で設けた場合は前記当て具材部分を、または前記当接部に前記当て具材を固着もしくは着脱自在に設けた場合は前記当て具材部分に、適宜な凝固剤等の薬剤を塗布もしくは浸潤させて前記当て具材と同様の効果を得るようにし、装着されたそれぞれの指の動きが上記（０００６）記載したと同様に規制されることを特徴とする、上記（０００６）から（００１９）に記載の各運動用具。
【発明の効果】
【００２１】
本発明の運動用具を装着してクラブやバットをグリップすると、親指２や人差し指３が直接クラブやバットを握れないので、利き腕の右腕・右手の力が殺がれ、左手リードのスイングが容易に可能になるという利点がある。
【図面の簡単な説明】
【００２２】
【図１】図１は手を示す図で、（Ａ）は手の全体像と各指の関節を示す図で、（Ｂ）は親指と人差し指を曲げた状態を示す図である。
【図２】図２は運動用具１００を示す図で、（Ａ）は両端に固定具材を設けた当て具材を示す図で、（Ｂ）は運動用具１００を指に装着する図で、（Ｃ）は装着が完了図である。（実施例１）
【図３】図３は運動用具２００を示す図で、（Ａ）両端に固定具材を有する基材に当て具材を固着した状態を示す図で、（Ｂ）は運動用具２００を指に装着する状況を示す図で（Ｃ）は装着が完了したことを示す図である。（実施例２）
【図４】図４は筒状の運動用具３００を示す図で、（Ａ）は当て具材を筒状に形成した状況を示す図で、（Ｂ）は運動用具３００を装着した状況を示す図である。（実施例３）
【図５】図５運動用具４００を示す図で、（Ａ）は筒状の基材に当て具材を固着させた状況を示す図で（Ｂ）は運動用具４００を装着した状況を示す図である。（実施例４）
【図６】図６は運動用具５００を示す図で、（Ａ）は長方形状の当て具材で形成した当接部を示す斜視図で（Ｂ）は当接部をチューブ状に形成した運動用具５００を示す図である。（実施例５）
【図７】図７は基材で当接部を形成し、当接部の上に当て具材を設けた上で、基材よりなる当接部をチューブ状に形成した運動用具５００Ａを示す図で、（Ａ）は基材と当て具材の分解構成図であり、(Ｂ)運動用具５００Ａの完成斜視図である。（実施例６）
【図８】図８は当接部とベルト部を当て具材で形成し、当接部とベルト部をチューブ状に形成した運動用具６００を示す図で、（Ａ）はベルト部と当て具材よりなる当接部の構成分解図で（Ｂ）ベルト部を当接部の両端に設けた状況を示す断面斜視図で、（Ｃ）は運動用具６００の完成斜視図である。（実施例７）
【図９】図９は当接部とベルト部を基材で成型し、さらに当接部上に当て具材を設けた基材よりなる当接部とベルト部をチューブ状に形成した運動用具６００Ａを示す図で、（Ａ）はベルトと当て具材と当接部の分解構成図で、（Ｂ）ベルト部を当接部の両端に設けた状況を示す斜視図で、（Ｃ）は運動用具６００Ａの完成斜視図である。（実施例８）
【図１０】図１０は当接部と固定具材を設けたべルト部よりなる当て具材を「工」の字型に一体加工し、当接部とベルト部をチューブ状に形成した運動用具６００Ｂを示す図で、（Ａ）は「工」の字型に一体加工した当接部とベルト部を示す斜視図で、（Ｂ）はチューブ状に形成した運動用具６００Ｂを示す斜視図である。（実施例９）
【図１１】図１１は当接部と固定具材を設けたべルト部を基材で形成し、当接部上に当て具材を設けた上で、基材からなるベルト部と当接部を「工」の字型に一体加工し、当接部とベルト部をチューブ型に形成した運動用具６００Ｃをしめすで、（Ａ）は分解構成図であり、（Ｂ）はチューブ状に形成した運動用具６００Ｃを示す図である。（実施例１０）
【図１２】図１２は当接部と固定具材を設けたべルト部よりなる当て具材を「工」の字型に一体加工した運動用具７００を示す斜視図である。（実施例１１）
【図１３】図１３は当接部と固定具材を設けたべルト部よりなる基材を工」の字型に一体加工し、当接部上に当て具材を設けた運動用具７００Ａを示す図で、（Ａ）は基材と当て具材を示す分解構成図で、（Ｂ）は完成した運動用具７００Ａを示す斜視図である。（実施例１２）
【図１４】図１４は固定具材を設けたべルト部と当接部よりなる二枚の基材を「士」の字型に一体加工し、一方の基材の当接部に当て具材を設けさらに基材の各部分が対向するように貼り合わせて一枚の運動用具８００を示す斜視図である。（実施例１３）
【図１５】図１５は手袋の人差し指と親指に当て具材を設けた運動用９００を示す斜視図。（実施例１４）
【図１６】図１６はサック状の運動用具１００，２００，３００，４００の使用状況を示す図で、（Ａ）はこれらの運動用具を装着せずにクラブをグリップした状況を示し、（Ｂ）はこれらの運動用具を装着してクラブをグリップした状況を示す図である。
【図１７】図１７はチューブ状の運動用具５００，５００Ａ、６００，６００Ａ、６００Ｂ、６００Ｃの使用状況示す図で、（Ａ）はこれらの運動用具を装着せずにクラブをグリップした状況を示し、（Ｂ）はこれらの運動用具を装着してクラブをグリップした状況を示す図である。
【図１８】図１８は「士」もしくは「工」の字型の運動用具７００，７００Ａ、８００の使用状況を示す図で（Ａ）はこれらの運動用具を装着せずにクラブをグリップした状況を示し、（Ｂ）はこれらの運動用具を装着してクラブをグリップした状況を示す図である。
【図１９】図１９は手袋型の運動用具９００の使用状況を示す図で（Ａ）はこれらの運動用具を装着せずにクラブをグリップした状況を示し、（Ｂ）はこれらの運動用具を装着してクラブをグリップした状況を示す図である。
【図２０】運動用具の装着状況を示す図で、（Ａ）はチューブ型の運動用具５００，５００Ａの、（Ｂ）はベルト部を有するチューブ型の６００，６００Ａ、６００Ｂ，６００Ｃの、（Ｃ）は「土」若しくは「士」の字型形成した運動用具７００，７００Ａ、８００を示す図である。
【発明を実施するための形態】
【００２３】
本発明は当て具材７を用いて、もしくは前記当て具材７を基材１１上に接着もしくは縫着等の方法で設けて、利き腕・利き手の親指２や人差し指３（以後「利き腕・利き手」の表現を省略し、単に「親指、人差し指もしくは指」という場合がある）の特に第二関節が折れ曲がらない運動用具を提供するものである。
本発明の素材は主として、前記当て具材７と前記基材１１と前記固定具材とからなっている。これらの素材に関しては特定はしない。
特定はしないが前記当て具材７に関しては、適度に上下左右からの力に対して弾力性を有する、例えばゴムや塩ビ材等のプラスチック類、皮革、布などが考えられる。また形状をも特定はしない。前記基材１１は容易に破損しない素材を推奨する。前記固定具材に関しては面ファスナーやボタン、磁石等が考えられるが特定するものではない。
この目的のための実施の形態に関する構造や作用については、実施例ごとに述べることにする。
【実施例１】
【００２４】
本発明の第１の実施例の構造、作用や効果について述べる。
第１の実施例の構造について述べる。運動用具１００は以下のような構造よりなっている。図２の（Ａ）に示すように、前記当て具材７を縦方向の長さは親指２や人差し指３（以下単に「指」という場合もある）の長さ以内で、これらの指に巻きつけられる程度の長さを横方向の幅として形成し、前記当て具材７の横方向の両端に面ファスナー等の適宜な固定具材（以後単に「固定具材」という）を設けて運動用具１００を形成する。
装着方法は以下のとおり。前記運動用具１００を図２の（Ｂ）や（Ｃ）に示すように、利き腕・利き手の親指２や人差し指３の特に第二関節５にかかるように巻きつけて前記固定具材で固定する。
作用としては以下のとおりである。前記運動用具１００は弾力性のある素材からなっているので、前
記親指２や人差し指３の第二関節が内側（手の掌の方）に折れ曲がりにくくなり指の動きが規制され、図１６の（Ｂ）に示すように前記親指２と前記人差し指３とで「Ｕ」もしくは略「Ｕ」の字型を作ってグリップするようになる。または親指をクラブに載せる程度までは可能であるが、人差し指を曲げてグリップすることはできなくなる。
効果としては、以上のことにより、肩に力が入りにくく、スイング時に右腕・右手が利き腕・利き手
の場合は右手の力がそがれ、左手でリードしたスイングを得ることができる。（利き腕・手が左手の場合は逆になる）
実際の使用状況は図１６の（Ｂ）に示すとおりである。
なお、固定具材により前記運動用具１００は指へ着脱自在に装着できる。
また、上記における前記当て具材７の形状は縦方向においては指の長さ以下であることが求められる
が、横方向に関しては指を巻く程度の幅がればよく、形状としては長方形のみならず縦長の楕円形状等適宜な形状に形成されておればよく、形状を特定するものではない。
【実施例２】
【００２５】
本発明の第２の実施例の構造、作用や効果について述べる。
第２の実施例の構造は、図３の（Ａ）に示すように、縦方向の長さは親指２や人差し指３の長さ以内で、これらの指に巻きつけられる程度の長さを横方向の幅として形成し、横方向の両端に固定具材を設けた前記基材１１に、適度な長さと幅の前記当て具材７を接着、縫着などの方法により固着もしくは着脱自在になるようにして装着して運動用具２００を形成する。なお、前記当て具材７の部分を適宜な素材でカバーし、前記当て具材７が前記基材１１上に露出・露見しないようにしてもよい。
前記当て具材７を前記基材１１に着脱自在に装着する方法としては、前記基材１１に袋を設け前記袋に前記当て具材７を出し入れする方法や、面ファスナーで着脱自在にする方法等が考えられるが、着脱自在にする方法を特定するものではない。
装着方法は以下のとおり。前記運動用具２００を図３の（Ｂ）や（Ｃ）に示すように、親指２や人差し指３の特に第二関節５にかかるように巻きつけて前記固定具材で固定する。特に前記当て具材７が指の関節の内側（手のひら）の方にくるように装着することを推奨する。
なお、固定具材により運動用具２００の指への着脱は自在になる。
作用と効果は上記実施例１に記載のとおりである。
【実施例３】
【００２６】
本発明の第３の実施例の構造、作用や効果について述べる。
第３の構造は図４の（Ａ）に示すように、縦方向の長さが親指２や人差し指３の長さ以内で、これらの指に挿入できる程度の大きさの筒状に前記当て具材７を形成して運動用具３００とするものである。
なお図では前記運動用具３００の形状として両端に開口部を有する形状の指キャップを示しているが、片方のみに開口部があるいわゆる指キャップの形状であってもよい。
また、指に挿入することができるのであれば形状について特定するものではない。
装着方法は以下のとおり。前記運動用具３００を前記親指２や前記人差し指３に挿入すればよい。
作用と効果は上記実施例１に記載のとおりである。
実際の使用状況は図１６の（Ｂ）に示すとおりである。
【実施例４】
【００２７】
本発明の第４の実施例の構造、作用や効果について述べる。
第４の構造は図５の（Ａ）に示すように、縦方向の長さが親指２や人差し指３の長さ以内で、これらの指に挿入できる程度の大きさの筒状に形成した前記基材１１に適度な長さと幅の前記当て具材７を接着、縫着などの方法により固着もしくは着脱自在に装着させて運動用具４００を形成する。
前記当て具材７を前記基材１１に着脱自在に装着する方法としては、前記基材１１に袋を設け前記袋に前記当て具材７を出し入れする方法や、面ファスナーで着脱自在にする方法等が考えられるが、着脱自在にする方法を特定するものではない。
なお、前記基材１１に固着させた前記当て具材７は適宜な素材でカバーして、直接前記当て具材７が露見・露出しないようにしておいてもよい。
また図５では前記運動用具４００の形状として両端に開口部を有する形状の指キャップを示しているが、片方のみに開口部があるいわゆる指キャップの形状であってもよい。
さらに、指に挿入することができるのであれば形状について特定するものではない。
装着方法は以下のとおり。前記当て具材７が手の内側（掌の方）に来るようにして、前記運動用具４００を前記親指２や前記人差し指３に、挿入すればよい。
作用と効果については上記実施例１に記載のとおりである。
実際の使用状況は図１６の（Ｂ）に示すとおりである。
【実施例５】
【００２８】
本発明の第５の実施例の構造、作用や効果について述べる。
第５の構造は図６の（Ａ）に示すように親指の先端もしく略先端から前記親指と人差し指の股を経由して、前記人差し指の先端もしくは略先端までを両指の手掌側で測った長さを長手方向の長さとし、指を略一周する程度の幅もしくは適宜な幅を短手方向の幅として長方形もしくは略長方形もしくは任意の形状に形成して当接部２１（以後単に「当接部）という）とし、前記当接部２１を前記当て具材７で形成し、前記当て具材７を両端部と長手方向に開口部１２を有する略Ｃ字型のチューブ状に形成して運動用具５００とするものである。
装着方法は以下のとおり。長手方向開口部１２を経由して左手開口部１３へ前記親指３もしくは前記人差し指３を、右手開口部１４へ前記人差し指４もしくは前記親指２を前記運動用具５００の中に挿入すれば装着完了である。装着状況は図２０の（Ａ）に示すとおりである。
作用は以下のとおりである。前記運動用具５００に指を挿入すると、指でクラブをグリップすることができなくなり、グリップの実際としては図１７の（Ｂ）のように、前記親指２と前記人差し指３で「Ｕ」の字型を作ってグリップすることになる。
効果については上記実施例１に記載のとおりである。
【実施例６】
【００２９】
本発明の第６の実施例の構造、作用や効果について述べる。
第６の構造について述べる。上記実施例５においては前記当接部２１を前記当て具材７で形成したが、実施例６においては図７に示すように前記当接部２１を基材１１で形成する。前記基材１１で形成された前記当接部２１の一部分もしくは全面に前記当て具材７を固着もしくは着脱自在に装着させたうえで、前記当て具材７が固着もしくは装着した前記基材１１を上記実施例５に記載した同様にチューブ状に形成して、運動用具５００Ａとするものである。
前記当て具材７を前記基材１１に着脱自在に装着する方法としては、前記基材１１に袋を設け前記袋に前記当て具材７を出し入れする方法や、面ファスナーで着脱自在にする方法等が考えられるが、着脱自在にする方法を特定するものではない。
なお、前記基材１１に固着させた前記当て具材７は適宜な素材でカバーして、直接前記当て具材７が露見・露出しないようにしておいてもよい。装着状況は図２０の（Ａ）に示すとおりである。
装着方法や作用や効果等は上記実施例５および実施例１に記載のとおりである。
【実施例７】
【００３０】
本発明の第７の実施例の構造、作用や効果について述べる。
第７の構造について述べる。図８の（Ａ）および（Ｂ）に示すように、前記当接部２１を前記当て具材７により形成し、前記当て具材７の長手方向の両端もしくは適宜の位置に、長手方向に対して直角もしくは適宜な角度で、さらに適宜な位置に面ファスナー等からなる固定具材が設けられたベルト部１０を設け、図８の（Ｃ）に示すように前記当て具材７を両端部と長手方向に開口部１２を有するように略Ｃ字型のチューブ状に形成し、前記ベルト部１０を有するチューブ型の運動用具６００を形成する。
装着方法は上記実施例５と同様であるが、ベルト部１０を有するので挿入した指の運動用具６００への装着が安定し装着感・安心感が増すという効果が生じる。装着状況は図２０の（Ｂ）に示すとおりである。
作用や効果等は上記実施例５および実施例１に記載のとおりである。
【実施例８】
【００３１】
本発明の第８の実施例の構造、作用や効果について述べる。
第８の構造について述べる。上記実施例７においては前記当接部２１や前記ベルト部１０を前記当て具材７で形成したが、実施例８においては図９の（Ａ）や（Ｂ）に示すように前記当接部２１や前記ベルト部１０を前記基材１１で形成し、前記基材１１で形成した前記当接部２１の一部もしくは全部に前記当て具材７を固着もしくは着脱自在に装着させたうえで上記実施例７と同様に前記基材１１をチューブ状型に形成して運動用具６００Ａとするものである。
前記当て具材７を前記基材１１に着脱自在に装着する方法としては、前記基材１１に袋を設け前記袋に前記当て具材７を出し入れする方法や、面ファスナーで着脱自在にする方法等が考えられるが、着脱自在にする方法を特定するものではない。
なお、前記基材１１に固着させた前記当て具材７は適宜な素材でカバーして、直接前記当て具材７が露見・露出しないようにしておいてもよい。
装着方法は上記実施例５と同様であるが、ベルト部１０を有するので挿入した指の運動用具６００Ａへの装着が安定し装着感・安心感が増すという効果が生じる。装着状況は図２０の（Ｂ）に示すとおりである。
作用や効果等は上記実施例５および実施例１に記載のとおりである。
【実施例９】
【００３２】
本発明の第９の実施例の構造、作用や効果について述べる。
第９の構造について述べる。前記当接部２１と前記当接部２１の両端もしくは適宜な位置に長手方向に直角もしくは適宜な角度と長さ、および両端には固定具材を有する前記ベルト部１０とにより、図１０の（Ａ）に示すように「工」もしくは略「工」の字型に前記当て具材７により一体形成し、図１０の（Ｂ）に示すように前記当て具材７を長手方向に開口部１２を有する概Ｃ字型のチューブ状に形成する。このように形成した運動用具が運動用具６００Ｂである。
なお、前記ベルト部１０は前記当接部２１に両端に設けたが、両端に限定するものではなく適宜な位置に設けてもよい。したがって上記では「工」の字型に一体加工すると述べているが、「士」の字型でもよく、形状を固定するものではない。
装着方法は上記実施例５と同様であるが、ベルト部１０を有するので挿入した指の運動用具６００Ｂへの装着が安定し装着感・安心感が増すという効果が生じる。装着状況は図２０の（Ｂ）に示すとおりである。
作用や効果等は上記実施例５および実施例１に記載のとおりである。
【実施例１０】
【００３３】
本発明の第１０の実施例の構造、作用や効果について述べる。
第１０の構造について述べる。上記実施例９においては前記当接部２１や前記ベルト部１０を前記当て具材７で形成したが、図１１の（Ａ）に示すように実施例１０においては前記当接部２１や前記ベルト部１０を前記基材１１で形成し、前記基材で形成した前記当接部２１の一部もしくは全部に前記当て具材７を固着もしくは着脱自在に装着させたうえで上記実施例９と同様に図１１の（Ｂ）に示すように前記基材１１をチューブ状に形成して運動用具６００Ｃとするものである。
前記当て具材７を前記基材１１に着脱自在に装着する方法としては、前記基材１１に袋を設け前記袋に前記当て具材７を出し入れする方法や、面ファスナーで着脱自在にする方法等が考えられるが、着脱自在にする方法を特定するものではない。
なお、前記基材１１に固着させた前記当て具材７は適宜な素材でカバーして、直接前記当て具材７が露見・露出しないようにしておいてもよい。
装着方法は上記実施例５と同様であるが、ベルト部１０を有するので挿入した指の運動用具６００Ｃへの装着が安定し装着感・安心感が増すという効果が生じる。装着状況は図２０の（Ｂ）に示すとおりである。
【実施例１１】
【００３４】
本発明の第１１の実施例の構造、作用や効果について述べる。
第１１の構造について述べる。前記当接部２１と、前記当接部２１の両端もしくは適宜な位置に長手方向に直角もしくは適宜な角度と長さ、および両端には固定具材を有する前記ベルト部１０とを前記当て具材７により、図１２に示すように「工」もしくは略「工」の字の型に一体形成して運動用具７００とするものである。
なお、前記ベルト部１０を設ける位置により形状は図１４に示すような「士」の字型になる場合もあるが形状については特定するものではない。
使用するときは、前記ベルト部１０で前記親指２と前記人差し指３を固定する。なお、前記ベルト部１０により指への着脱は自在となる。
装着状況は図２０の（Ｃ９）に示すとおりであり、使用状況は図１８の（Ｂ）に示すとおりである。
作用や効果等は上記実施例１に記載のとおりである。
【実施例１２】
【００３５】
本発明の第１２の構造、作用や効果について述べる。
第１２の構造について述べる。実施例１１においては前記当接部２１や前記ベルト部１０部を前記当て具材７を使用して形成したが、実施例１２においては、前記当接部２１や前記ベルト部１０を前記基材１１で形成し、前記基材で形成した前記当接部２１の一部もしくは全部に前記当て具材７を固着もしくは着脱自在に装着させたうえで、上記実施例１１と同様に図１３に示すように前記基材１１を形成して運動用具７００Ａとするものである。
前記当て具材７を前記基材１１に着脱自在に装着する方法としては、前記基材１１に袋を設け前記袋に前記当て具材７を出し入れする方法や、面ファスナーで着脱自在にする方法等が考えられるが、着脱自在にする方法を特定するものではない。
なお、前記基材１１に固着させた前記当て具材７は適宜な素材でカバーして、直接前記当て具材７が露見・露出しないようにしておいてもよい。
また、前記ベルト部１０を設ける位置により形状は図１４に示すような「士」の字型になる場合もあるが形状については特定するものではない。
使用するときは、前記ベルト部１０で前記親指２と前記人差し指３を固定する。なお、前記ベルト部１０により着脱は自在となる。
装着状況は図２０の（Ｃ９）に示すとおりであり、使用状況は図１８の（Ｂ）に示すとおりである。
作用や効果等は上記実施例１に記載のとおりである。
【実施例１３】
【００３６】
本発明の第１３の構造、作用や効果について述べる。
前記当接部２１と、前記当接部２１の両端もしくは適宜な位置に長手方向に直角もしくは適宜な角度と長さ、および両端には固定具材を有する前記ベルト部１０とを、「士」もしくは略「士」の字の型に一体形成した二枚の前記基材１１において、一方の前記基材１１の前記当接部２１の全面もしくは一部分に前記当て具材７を固着させ、両方の同一形状の前記基材１１を各部分が対向するように接着もしくは縫着等により固着させ、図１４に示すように一枚の「士」もしくは略「士」の字の型の運動用具にしたのが運動用具８００である。
なお、二枚の前記基材１１を固着させるに当たっては、前記当て具材７が露見・露出しないように前記当て具材７を両方の前記基材１１の前記当接部２１で挟むようにして固着させることを推奨する。
また、前記ベルト部１０を設ける位置により形状は図１３に示すような「工」の字型になる場合もあるが形状については特定するものではない。
使用するときは、前記ベルト部１０で前記親指２と前記人差し指３を固定する。なお、前記ベルト部１０により指への着脱は自在となる。
装着状況は図２０の（Ｃ９）に示すとおりであり、使用状況は図１８の（Ｂ）に示すとおりである。
作用や効果等は上記実施例１に記載のとおりである。
【実施例１４】
【００３７】
本発明の第１４の構造、作用や効果について述べる。
第１４の構造について述べる。図１５に示すように、左もしくは右手用の手袋１５の親指２と人差し指３の部分に適宜な長さで前記当て具材７を固着させ、もしくは着脱自在となるように設けて運動用具としたのが運動用具９００である。
前記当て具材７を前記手袋１５に着脱自在に装着する方法としては、前記手袋１５の前記当て具材７を設ける部分に袋を設け前記袋に前記当て具材７を出し入れする方法や、面ファスナーで着脱自在にする方法等が考えられるが、着脱自在にする方法を特定するものではない。
なお、前記手袋１５の素材を特定するものではない。
前記当て具材７は指の内側（掌の方）に設けることを推奨するが、特定するものではない。
使用するときは通常の手袋と同様に各指を挿入する。しかし前記親指２と前記人差し指３の部分には前記当て具材７が設けられているため各指が手の内側（手の掌の方）に折れ曲がらない、もしくは折れ曲がりにくくなるので、クラブをグリップするときは図１９の（Ｂ）のように、前記親指２と前記人差し指３で「Ｕ」の字をつくってグリップせざるを得なくなる。このことにより上記実施例１に記載のとおりの効果を得ることができる。
【実施例１５】
【００３８】
上記実施例１から実施例１４において、前記当接部２１を前記当て具材７で設けた場合は前記当て具材７の一部分もしくは全部を、または前記当接部２１に前記当て具材７を固着もしくは着脱自在に設けた場合は前記当て具材部分７に、適宜な凝固剤等の薬剤を塗布もしくは浸潤させて指の動きが規制されるように各運動用具を形成してもよい。
作用や効果等は上記実施例１に記載のとおりである。
【符号の説明】
【００３９】
１    手                 
２    親指            
３    人差し指            
４    第一関節                    
５    第二関節               
６    第三関節                 
７    当て具材
８    面ファスナーループ面
９    面ファスナーフック面
１０  ベルト部
１１  基材
１２  長手方向開口部
１３  左端開口部
１４  右端開口部
１５  手袋
１６  手袋親指
１７  手袋人差し指
１８  ゴルフクラブ
１９  右手
２０  左手
２１  当接部
運動用具・・・１００，２００，３００，４００，５００，５００Ａ、６００，６００Ａ、６００Ｂ、６００Ｃ、７００，７００Ａ，８００、９００
【図１】
2015112440.tif 000003
【図２】
2015112440.tif 000004
【図３】
2015112440.tif 000005
【図４】
2015112440.tif 000006
【図５】
2015112440.tif 000007
【図６】
2015112440.tif 000008
【図７】
2015112440.tif 000009
【図８】
2015112440.tif 000010
【図９】
2015112440.tif 000011
【図１０】
2015112440.tif 000012
【図１１】
2015112440.tif 000013
【図１２】
2015112440.tif 000014
【図１３】
2015112440.tif 000015
【図１４】
2015112440.tif 000016
【図１５】
2015112440.tif 000017
【図１６】
2015112440.tif 000018
【図１７】
2015112440.tif 000019
【図１８】
2015112440.tif 000020
【図１９】
2015112440.tif 000021
【図２０】
2015112440.tif 000022
【手続補正書】
【提出日】平成26年11月24日(2014.11.24)
【手続補正１】
【補正対象書類名】明細書
【補正対象項目名】全文
【補正方法】変更
【補正の内容】
【発明の詳細な説明】
【技術分野】
【０００１】
本発明は、ゴルフや野球などの球技をプレーするに際し、手や指の動きを規制する、運動用具に関するものである。
【背景技術】
【０００２】
以下本論においては利き腕が右手の場合を例にとって論を進めるが、利き腕が右手に限定するものではない。またゴルフを例にとって論を進めるが、本発明はゴルフプレーに限定されるものではない
さて、野球やゴルフなどのスイングにおいては、右肩の力（以後単に「力を抜く」という）を抜き左手リードのスイングが要求される。左手リードのスイングが良い結果を生む場合が多いからである。
しかし、従来の指導や指導書では力を抜いて左手リードのスイングが推奨されるが、右手は「小鳥をそっと掴むように」などと論理的説明はなく、上達するには相当の練習・鍛錬を日ごろから積んでおく必要があった。しかし、ほとんど練習や鍛錬をしないまたはする時間がない素人にとっては理屈では分かっても上達しづらいものであった。つまり左手リードのスイングを体得するのは難しいことであった。
【先行技術文献】
【特許文献】
【０００３】
【特許文献１】本件に関する特段の先行技術文献はみあたらない。
【発明の概要】
【発明が解決しようとする課題】
【０００４】
左手リードの理想的なスイングを行うためには、利き腕である右手や右腕の力を殺ぐ必要がある。
利き腕の力が強くなるのは、クラブやバットをグリップする際に右手の親指２と人差し指３でクラブやバットを強くグリップするためである。
解決しようとする問題点は、特段の練習や鍛錬を積まずとも利き腕である右腕や右手の力を殺ぎ、左手リードのスイングが容易にできるような運動用具を提供する点にある。
なお、以下においては右手（右腕）が利き手・利き腕の場合を例にして述べる。
【課題を解決するための手段】
【０００５】
右手の力を殺ぐためには右手ではグリップしなければよいのだが、実際には無理なことで左手だけでグリップしてスイングすることはできないので、右手でもクラブをグリップする必要がある。
しかし右手でグリップした時に右手親指（２）と右手人差し指（３）をクラブにかけない（のせない）か、かけても両指に力が入らないようにすればよい。図１の（Ａ）は手（１）のひらを広げた状態を示しており、各指の関節を指の下から第一関節（４）、第二関節（５）、第三関節（６）（ただし右手親指（２）は第二関節（５）まで）とよんだ場合、図１の（Ｂ）のように右手親指（２）や右手人差し指（３）が曲がらないようにしておけばよい。特に第二関節（５）が曲がらないようにしておけば、グリップしても力が入りにくくなる。
上記目的のための手段について以下に詳述する。
なお、以下に述べる作用と効果はゴルフに限らず、野球のバットのスイングなどスイングを伴う球技において有効である。
【０００６】
手段１
Ｓ１：本発明の第１の手段である巻きつけ型運動用具の構造、作用や効果について述べる。
Ｓ１−１：巻きつけ型運動用具の形成：構造と形状（参考図：図２（Ａ））
巻きつけ型運動用具の縦方向の長さは右手親指または右手人指し指と略同じ長さで、横方向は右手親指または人指し指に十分に巻きつけられる幅よりなり、横方向の両端には例えば面ファスナーあるいはボタン等の固定具が設けられており、形状としては図２（Ａ）に示すように下記Ｓ１―２で述べる素材を長方形状に形成して、巻きつけ型運動用具とする。
Ｓ１−２：巻きつけ型運動用具の素材
巻きつけ型運動用具の素材は右手親指の第二関節または人指し指の第二関節や第三関節、特に第二関節を曲げることができないような例えば皮革・ゴム等で可撓性の小さい素材であればよく、素材を特定するものではない。
Ｓ１−３：巻きつけ型運動用具の装着（参考図：図２（Ｂ））
Ｓ１−１で形成した巻きつけ型運動用具で指に巻きつけたとき指に接しする方を背面、表面に出る方を腹面とした場合、巻きつけ型運動用具を図２（Ｂ）に示すように背面を内側にして右手親指または右手人指し指（以後「両指」と省略することがある）に巻きつけ、固定具で両指にしっかりと装着する。
【０００７】
手段２
Ｓ２：本発明の第２の手段である補強材付き巻きつけ型運動用具の形成：の構造、作用や効果について
述べる。
Ｓ２−１：補強材付き巻きつけ型運動用具の形成：形成：構造と形状（参考図：図３（Ａ））
基本的構造は上記Ｓ１−１の巻きつけ型運動用具と同一であるが、以下の相違点を有する。
すなわち、腹面もしくは背面に横方向の幅は適当な幅で、縦方向の高さは補強材付き巻きつ
け型運動用具の縦幅と同一もしくは略同一の補強材を固着させておく。図３（Ａ）は補強材
を腹面に設けた状況を示している。
Ｓ２−２：補強材付き巻きつけ型運動用具の素材
手段２での巻きつけ型運動用具部分の素材は特定しない。一方補強材については上記Ｓ１−２に記載のとおりとする。
Ｓ２−３：補強材付き巻きつけ型運動用具の装着
図３（Ｂ）に示すように、補強材部分が指の折れ曲がる方に当たるようにして上記Ｓ１−３と同じようにして装着する。
【０００８】
手段３
Ｓ３：本発明の第３の  手段である指サック型運動用具の形成：の構造、作用や効果について述べる。
Ｓ３−１：指サック型運動用具の形成：形成：構造と形状（参考図：図４（Ａ））
図４に示すように、指サック型運動用具の縦方向の長さは右手親指または右手人指し指と略同
じ長さで、両端が開口部となって右手親指または右手人指し指が挿入できる太さよりなる円柱
状もしくは略円柱状の筒状に下記Ｓ３−２で述べる素材を形成して、指サック型運動用具とする。
なお、図５（Ａ）に示すように、この筒状の指サック型運動用具の正面図を描いた場合において、図の上端を上端、図の下端を下端ということにする。
また、図５（Ｂ）に示すように、平面図を描いた場合において、図の上方の円弧部分をサック
背面、下方の円弧部分をサック腹面ということにする。
Ｓ３−２：指サック型運動用具の素材
指サック型運動用具の素材は右手親指の第二関節または右手人指し指の第二関節や第三関
節、特に第二関節を曲げることができないような例えば皮革・ゴム等で可撓性の小さい素材
であればよく、素材を特定するものではない。
Ｓ３−３：指サック型運動用具の装着方（参考図：図４（Ｂ））
右手親指または右手人指し指の指先を下端開口部に挿入し、指サック型運動用具を指の付け
根まで押し込む。
【０００９】
手段４
Ｓ４：本発明の第４の段である補強材付き指サック型運動用具の形成：の構造、作用や効果について述べる。
Ｓ４−１：補強材付き指サック型運動用具の形成：形成：構造と形状（参考図：図６（Ａ））
基本的構造は上記Ｓ３−１で述べた指サック型運動用具と同一であるが、以下の相違点を有する。
すなわち、サック腹面もしくはサック背面に横方向の幅は適当な幅で、縦方向の高さは補強材付き指サック型運動用具縦幅と同一もしくは略同一の補強材を固着させておく。参考図の図６（Ａ）は補強材をサック腹面に設けた状況を示している。
Ｓ４−２：補強材付き指サック型運動用具の素材
手段４での指サック型運動用具部分についての素材は特定しない。一方補強材の素材は、上記Ｓ１−２に記載のとおりとする。
Ｓ４−３：補強材付き指サック型運動用具の装着（参考図：図６（Ｂ））
補強材部分が指の折れ曲がる方に当たるようにして上記Ｓ３−３と同じようにして装着する。
【００１０】
手段５
Ｓ５：本発明の第５の手段であるベルト型運動用具の形成：の構造、作用や効果について述べる。
Ｓ５−１：ベルト型運動用具の形成：形成：構造と形状（参考図：図８）
（１）右手親指の先端から右手親指と右手人差し指の股を経由して、右手人差し指の先端までを両指の手掌側で測った長さを長手方向の長さとし、指を略一周する程度の幅短手方向の幅としてなる長方形を当接部とし、
（２）この当接部の長手方向に対して直角方向に一端は固着され、他端には面ファスナーまたはボタン等の固定具設けられた適当な長さのベルト部を設け、
（３）当接部とベルト部で漢字の「土」の字状に後述する素材を一体加工して、ベルト型運動用具を形成する。
Ｓ５−２：ベルト型運動用具の素材
ベルト型運動用具の素材は右手親指）の第二関節（５）または人指し指の第二関節や第三関
節、特に第二関節を曲げることができないような例えば皮革・ゴム等で可撓性の小さい素材
であればよく、素材を特定するものではない。
Ｓ５−３：ベルト型運動用具の装着（参考図：図１２（Ｂ））
右手親指と右手人さし指にベルト部を巻きつけ固定具（９）で固定させる。
【００１１】
手段６
Ｓ６：本発明の第６の手段である補強材付きベルト型運動用具（２９）の形成：の構造、作用や効果について述べる。
Ｓ６−１：補強材付きベルト型運動用具の形成：形成：構造と形状（参考図：図９）
上記Ｓ５−１で成型したベルト型運動用具を図９（Ａ）に示すように、２枚重ねて、その間の当接部に補強材を挟んで固着して図９（Ｂ）に示すような補強材付きベルト型運動用具を形成する。
当接部の間に挟む補強材は当接部とそのサイズを同一もしくはほぼ同一に形成されているものとする。
Ｓ６−２：補強材付きベルト型運動用具の素材
手段６におけるベルト型運動用具の素材については特定しない。一方補強材部分については上記Ｓ１−２に記載と同様である。
Ｓ６−３：補強材付きベルト型運動用具の装着（参考図：図１２（Ｂ））
上記Ｓ５−３と同様であるため省略する。
【００１２】
手段７
Ｓ７：本発明の第７の実施例である補強材付き手袋の形成：の構造、作用や効果について述べる。
Ｓ７−１：補強材付き手袋の形成：形成：構造と形状（参考図：図１０）
手袋の手袋親指または手袋人指し指の内側または外側に横方向の幅は適当な幅で、縦方向の高さは手袋親指または手袋人指し指の長さと同一もしくは略同一の後述する素材による補強材を固着させて補強材付き手袋を形成する。図１０は補強材を外側に設けた補強材付き手袋の斜視図である。
Ｓ７−２：補強材付き手袋の素材
補強材付き手袋の補強材の素材は、上記Ｓ１−２に記載と同様である。一方手袋については素材を特定しない。
Ｓ７−３：補強材付き手袋の装着（参考図：図１３（Ｂ））
通常の手袋のようにして補強材付き手袋を装着する。装着に関し特記することはない。
【発明の効果】
【００１３】
本発明の運動用具を装着してゴルフクラブ（１８）や野球のバットをグリップすると、右手親指（２）や右手人差し指（３）が直接ゴルフクラブ（１８）や野球のバットを握れないので、利き腕の右腕・右手の力が殺がれ、左手リードのスイングが容易に可能になるという利点がある。
【図面の簡単な説明】
【００１４】
【図１】（Ａ）は手の全体像と各指の関節を示す図、（Ｂ）は親指と人差し指を曲げた状態を示す図
【図２】（Ａ）は本発明の一部である巻きつけ型当て具の構造を示す斜視図、（Ｂ）は巻きつけ型当て具を指に装着した状況を示す斜視図
【図３】（Ａ）は本発明の一部である補強材付き巻きつけ型当て具の構造を示す斜視図、（Ｂ）は補強材付き巻きつけ型当て具を指に装着した状況を示す斜視図
【図４】（Ａ）は本発明の一部である指サック型当て具の斜視図、（Ｂ）は指サック型当て具を指に装着した状況を示す斜視図
【図５】（Ａ）は本発明の一部である指サック型当て具の正面図、（Ｂ）は本発明の一部である指サック型当て具の平面図
【図６】（Ａ）は本発明の一部である補強材付き指サック型当て具の斜視図、（Ｂ）は補強材付き指サック型当て具を指に装着した状況を示す斜視図
【図７】（Ａ）は本発明の一部である補強材付き指サック型当て具の正面図、（Ｂ）は本発明の一部である補強材付き指サック型当て具の平面図
【図８】本発明の一部であるバンド型当て具を示す斜視図
【図９】（Ａ）は本発明の一部である補強材付きバンド型当て具の分解構成斜視図、（Ｂ）は本発明の一部である補強材付きバンド型当て具の斜視図
【図１０】本発明の一部である補強材付き手袋を示す斜視図
【図１１】ゴルフクラブのグリップを示す斜視図で（Ａ）は従来のグリップで、（Ｂ）は本発明の一部である巻きつけ型当て具を装着してグリップした状況を示す斜視図
【図１２】ゴルフクラブのグリップを示す斜視図で（Ａ）は従来のグリップで、（Ｂ）は本発明の一部であるバンド型当て具を装着してグリップした状況を示す斜視図
【図１３】ゴルフクラブのグリップを示す斜視図で（Ａ）は従来のグリップで、（Ｂ）は本発明の一部である補強材付き手袋を装着してグリップした状況を示す斜視図
【発明を実施するための形態】
【００１５】
本発明を実施するための形態に関する構造や作用については、実施例ごとに述べることにする。
【実施例１】
【００１６】
Ｊ１：本発明の第１の実施例である巻きつけ型運動用具（２４）の構造、作用や効果について述べる。
Ｊ１−１：巻きつけ型運動用具（２４）の形成：構造と形状（参考図：図２（Ａ））
巻きつけ型運動用具（２４）の縦方向の長さは右手親指（２）または右手人指し指（３）と
略同じ長さで、横方向は右手親指（２）または人指し指（３）に十分に巻きつけられる幅よ
りなり、横方向の両端には例えば面ファスナーあるいはボタン等の固定具（１０）が設けら
れており、形状としては図２（Ａ）に示すように下記Ｊ１―２で述べる素材を長方形状に形
成して巻きつけ型運動用具（２４）とする。
Ｊ１−２：巻きつけ型運動用具（２４）の素材
素材は右手親指（２）の第二関節（５）または人指し指（３）の第二関節（５）や第三関節
（６）、特に第二関節（５）を曲げることができないような例えば皮革・ゴム等で可撓性の
小さい素材であればよく、素材を特定するものではない。
Ｊ１−３：巻きつけ型運動用具（２４）の装着（参考図：図２（Ｂ））
Ｊ１−１で形成した巻きつけ型運動用具（２４）で指に巻きつけたとき指に接しする方を背面（２３）、表面に出る方を腹面（２４）とした場合、巻きつけ型運動用具（２４）を図２（Ｂ）に示すように背面（２３）を内側にして右手親指（２）または右手人指し指（３）（以後「両指」と省略することがある）に巻きつけ、固定具（１０）で両指にしっかりと装着する。
Ｊ１−４：作用と効果（参考図：図１１（Ｂ））
巻きつけ型運動用具（２４）を右手の両指に装着すると、右手親指（２）または右手人指し指（３）は折り曲げることができない、もしくはほとんど曲げることができなくなる。
すなわち、右手（１９）でゴルフクラブ（１８）をグリップする小指・薬指・中指は通常どおりにグリップするが、図１１（Ｂ）に示すように、右手親指（２）と右手人指し指（３）は曲げることができなのでグリップできず、もしくは殆どグリップしていない状態になるので、「Ｕ」字型を作る状態になる。この結果右肩に力が入らなくなる。なお、左手（２０）は通常どおりグリップする。
このことによりスイングは左手（２０）がリードするようになるという効果が生じる。
なお、右手親指（２）はゴルフクラブ（１８）にのせるだけにして右手人指し指（３）          でグリップしなければ上記効果を得ることができるので、巻きつけ型運動用具（２４）の装
着は右手人指し指（３）のみでもよい。ただし、本稿では両指に装着することで論を進める。なお、以下に述べる実施例２以下においても装着は右手人指し指（３）のみでもよいので実施例２以下での記述は省略する。
【実施例２】
【００１７】
Ｊ２：本発明の第２の実施例である補強材付き巻きつけ型運動用具（２５）の形成：の構造、作用や効果について述べる。
Ｊ２−１：補強材付き巻きつけ型運動用具（２５）の形成：形成：構造と形状（参考図：図３（Ａ））
基本的構造は上記Ｊ１−１の巻きつけ型運動用具（２４）と同一であるが、以下の相違点を有する。
すなわち、腹面（２２）もしくは背面（２３）に横方向の幅は適当な幅で、縦方向の高さは
補強材付き巻きつけ型運動用具（２５）の縦幅と同一もしくは略同一の補強材（８）を固着
させておく。参考図の図３（Ａ）は補強材（８）を腹面（２２）に設けた状況を示している。
Ｊ２−２：補強材付き巻きつけ型運動用具（２５）の素材
実施例２での巻きつけ型運動用具（２４）部分の素材は特定しない。一方補強材（８）については上記Ｊ１−２に記載のとおりとする。
Ｊ２−３：補強材付き巻きつけ型運動用具（２５）の装着
図３（Ｂ）に示すように、補強材（８）部分が指の折れ曲がる方に当たるようにして上記Ｊ１−３と同じようにして装着する。
Ｊ２−４：作用と効果（参考図：図１１（Ｂ））
作用と効果は上記Ｊ１−４と同様であるため省略する。
【実施例３】
【００１８】
Ｊ３：本発明の第３の実施例である指サック型運動用具（２６）の形成：の構造、作用や効果について述べる。
Ｊ３−１：指サック型運動用具（２６）の形成：形成：構造と形状（参考図：図４（Ａ））
図４（Ａ）に示すように、指サック型運動用具（２６）の縦方向の長さは右手親指（２）ま
たは右手人指し指（３）と略同じ長さで、両端が開口部となって右手親指（２）または右手
人指し指（３）が挿入できる太さよりなる円柱状もしくは略円柱状の筒状に下記Ｊ３−２で
述べる素材を形成して指サック型運動用具（２６）とする。
図５（Ａ）に示すように、この筒状の指サック型運動用具（２６）の正面図を描いた場合に
おいて、図の上端を上端（１１）、図の下端を下端（１２）ということにする。
また、図５（Ｂ）に示すように、平面図を描いた場合において、図の上方の円弧部分をサック背面（３３）、下方の円弧部分をサック腹面（３４）ということにする。
Ｊ３−２：指サック型運動用具（２６）の素材
指サック型運動用具（２６）の素材は右手親指（２）の第二関節（５）または右手人指し指
（３）の第二関節（５）や第三関節（６）、特に第二関節（５）を曲げることができないよ
うな例えば皮革・ゴム等で可撓性の小さい素材であればよく、素材を特定するものではない。
Ｊ３−３：指サック型運動用具（２６）の装着方（参考図：図４（Ｂ））
右手親指（２）または右手人指し指（３）の指先を下端開口部（１４）に挿入し、指サック
型運動用具（２６）を指の付け根まで押し込む。
Ｊ３−４：作用と効果（参考図：図１１（Ｂ））
上記Ｊ１−４と同様であるため省略する。
【実施例４】
【００１９】
Ｊ４：本発明の第４の実施例である補強材付き指サック型運動用具（２７）の形成：の構造、作用や効果について述べる。
Ｊ４−１：補強材付き指サック型運動用具（２７）の形成：形成：構造と形状（参考図：図６（Ａ））
基本的構造は上記Ｊ３−１で述べた指サック型運動用具（２６）と同一であるが、以下の相違点を有する。
すなわち、サック腹面（３４）もしくはサック背面（３３）に横方向の幅は適当な幅で、縦
方向の高さは補強材付き指サック型運動用具（２７）縦幅と同一もしくは略同一の補強材
（８）を固着させておく。参考図の図６（Ａ）は補強材（８）をサック腹面（３４）に設け
た状況を示している。
Ｊ４−２：補強材付き指サック型運動用具（２７）の素材
実施例４での指サック型運動用具（２６）部分についての素材は特定しない。一方補強材（８）の素材は、上記Ｊ１−２に記載のとおりとする。
Ｊ４−３：補強材付き指サック型運動用具（２７）の装着（参考図：図６（Ｂ））
補強材（８）部分の素材は上記Ｊ１−３が指の折れ曲がる方に当たるようにして上記Ｊ３−３と同じようにして装
着する。
Ｊ４−４：作用と効果（参考図：図１１（Ｂ））
上記Ｊ１−４と同様であるため省略する。
【実施例５】
【００２０】
Ｊ５：本発明の第５の実施例であるベルト型運動用具（２８）の形成：の構造、作用や効果について述べる。
Ｊ５−１：ベルト型運動用具（２８）の形成：形成：構造と形状（参考図：図８）
（１）右手親指（２）の先端から右手親指（２）と右手人差し指（３）の股を経由して、右手人差し指（３）の先端までを両指の手掌側で測った長さを長手方向の長さとし、指を略一周する程度の幅短手方向の幅としてなる長方形を当接部（３０）とし、
（２）この当接部（３０）の長手方向に対して直角方向に一端は固着され、他端には面ファスナーまたはボタン等の固定具（９）設けられた適当な長さのベルト部（１０）を設け、
（３）当接部（３０）とベルト部（１０）で漢字の「土」の字状に後述する素材を一体加工して、ベルト型運動用具（２８）を形成する。
Ｊ５−２：ベルト型運動用具（２８）の素材
ベルト型運動用具（２８）の素材は右手親指（２）の第二関節（５）または人指し指（３）
の第二関節（５）や第三関節（６）、特に第二関節（５）を曲げることができないような例
えば皮革・ゴム等で可撓性の小さい素材であればよく、素材を特定するものではない。
Ｊ５−３：ベルト型運動用具（２８）の装着（参考図：図１２（Ｂ））
右手親指（２）と右手人さし指（３）にベルト部（１０）を巻きつけ固定具（９）で固定させる。
Ｊ５−４：作用と効果（参考図：図１２（Ｂ））
上記Ｊ１−４と同様であるため省略する。
【実施例６】
【００２１】
Ｊ６：本発明の第６の実施例である補強材付きベルト型運動用具（２９）の形成：の構造、作用や効果について述べる。
Ｊ６−１：補強材付きベルト型運動用具（２９）の形成：形成：構造と形状（参考図：図９）
上記Ｊ５−１で成型したベルト型運動用具（２８）を図９（Ａ）に示すように、２枚重ねて、その間の当接部（２１）に補強材（８）を挟んで固着して図９（Ｂ）に示すような補強材付きベルト型運動用具（２９）を形成する。
当接部（２１）の間に挟む補強材（８）は当接部（２１）とそのサイズを同一もしくはほぼ同一に形成されているものとする。
Ｊ６−２：補強材付きベルト型運動用具（２９）の素材
実施例６におけるベルト型運動用具（２８）の素材については特定しない。一方補強材（８）部分については上記Ｊ１−２に記載と同様である。
Ｊ６−３：補強材付きベルト型運動用具（２９）の装着（参考図：図１２（Ｂ））
上記Ｊ５−３と同様であるため省略する。
Ｊ６−４：作用と効果（参考図：図１２（Ｂ））
上記Ｊ１−４と同様であるため省略する。
【実施例７】
【００２２】
Ｊ７：本発明の第７の実施例である補強材付き手袋（３１）の形成：の構造、作用や効果について述べる。
Ｊ７−１：補強材付き手袋（３１）の形成：形成：構造と形状（参考図：図１０）
手袋の手袋親指（１６）または手袋人指し指（１７）の内側または外側に横方向の幅は適当な幅で、縦方向の高さは手袋親指（１６）または手袋人指し指（１７）の長さと同一もしくは略同一の後述する素材による補強材（８）を固着させて補強材付き手袋（３１）を形成する。図１０は補強材（８）を外側に設けた補強材付き手袋（３１）の斜視図である。
Ｊ７−２：補強材付き手袋（３１）の素材
補強材付き手袋（３１）の補強材（８）の素材は、上記Ｊ１−２に記載と同様である。一方手袋（３２）については素材を特定しない。
Ｊ７−３：補強材付き手袋（３１）の装着（参考図：図１３（Ｂ））
通常の手袋のようにして補強材付き手袋（３１）を装着する。装着に関し特記することはな
い。
Ｊ７−４：作用と効果（参考図：図１３（Ｂ））
上記Ｊ１−４と同様であるため省略する。
【符号の説明】
【００２３】
１    手                  
２    右手親指             
３    人差し指            
４    第一関節                     
５    第二関節                
６    第三関節                  
７    基材
８    補強材
９    固定具
１０  ベルト部
１１  上端
１２  下端
１３  上端開口部
１４  下端開口部
１５  補強材付き手袋
１６  手袋右手親指
１７  手袋人差し指
１８  ゴルフクラブ
１９  右手
２０  左手
２１  当接部
２２  腹面
２３  背面
２４  巻きつけ型運動用具
２５  補強材付き巻きつけ型運動用具
２６  指サック型運動用具
２７  補強材付き指サック型運動用具
２８  ベルト型運動用具
２９  補強材付きベルト型運動用具
３０  当接面
３１  補強材付き手袋
３２  手袋
３３  サック背面
３４  サック腹面
【手続補正２】
【補正対象書類名】特許請求の範囲
【補正対象項目名】全文
【補正方法】変更
【補正の内容】
【特許請求の範囲】
【請求項１】
手の指の関節で、根元に近い方から第一関節、第二関節、第三関節とした場合において、親指の第二関節もしくは人指し指の第二関節が掌の方に折れ曲がらないようにしたことを特徴とする、運動用具。  
【手続補正４】
【補正対象書類名】図面
【補正対象項目名】全図
【補正方法】変更
【補正の内容】
【図１】
2015112440.tif 000023
【図２】
2015112440.tif 000024
【図３】
2015112440.tif 000025
【図４】
2015112440.tif 000026
【図５】
2015112440.tif 000027
【図６】
2015112440.tif 000028
【図７】
2015112440.tif 000029
【図８】
2015112440.tif 000030
【図９】
2015112440.tif 000031
【図１０】
2015112440.tif 000032
【図１１】
2015112440.tif 000033
【図１２】
2015112440.tif 000034
【図１３】
2015112440.tif 000035